(57)【要約】【課題】原稿の位置がずれることを抑制する。【解決手段】画像形成装置１００は、画像形成部１４と、筐体２０と、原稿台カバー３と、送風部４とを備える。画像形成部１４は、画像を用紙Ｐに形成する。筐体２０は、上面に原稿載置面２２１が配置される。原稿台カバー３は、原稿載置面２２１に対して開閉自在に構成される。送風部４は、原稿台カバー３に空気流を送出する。送風部４は、空気流を発生するファン４１を有する。原稿台カバー３は、原稿台カバー３の押え部材３１に形成された複数の孔３１１を有する。原稿台カバー３が閉状態において、送風部４は複数の孔３１１からの空気の流出を遮断し、原稿台カバー３が開状態において、送風部４は複数の孔３１１から空気を流出する。【選択図】図３
2019129349.tif 000002
【特許請求の範囲】
【請求項１】
上面に原稿台面が配置される装置本体と、
前記原稿台面に対して開閉自在に構成された原稿台カバーと、
前記原稿台カバー内に空気流を送出する送風部と
を備え、
前記送風部は、前記空気流を発生するファンを有し、
前記原稿台カバーは、前記原稿台カバーの原稿を押圧する面に形成された複数の孔を有し、
前記原稿台カバーが開状態において、前記送風部は前記複数の孔から空気を流出し、前記原稿台カバーが閉状態において、前記送風部は前記複数の孔からの空気の流出を遮断する、画像読取装置。
【請求項２】
前記送風部は、
前記装置本体内を上下方向に貫通して空気を上方に案内する第１ダクトと、
前記原稿台カバー内において前記複数の孔に向けて空気を案内する第２ダクトと、
前記第１ダクトと前記第２ダクトとを連結する連結部と
を更に備え、
前記ファンは、前記第１ダクトの下方に配置され、空気を上方に流動させ、
前記連結部は、前記第２ダクトへ空気を排出する排出口を備える、請求項１に記載の画像読取装置。
【請求項３】
前記連結部は、前記排出口を開閉する開閉部材を更に備え、
前記原稿台カバーが前記閉状態において、前記開閉部材が前記排出口を閉塞し、
前記原稿台カバーが前記開状態において、前記開閉部材が前記排出口を開放する、請求項２に記載の画像読取装置。
【請求項４】
前記排出口は、前記連結部と前記第２ダクトとの接続部に形成され、
前記開閉部材は、前記原稿台カバーが前記閉状態において、前記排出口を閉塞する位置に配置され、前記原稿台カバーが前記開状態において、前記排出口を開放する位置に配置される、請求項３に記載の画像読取装置。
【請求項５】
前記原稿台カバーを回動自在に支持する軸部材を更に備え、
前記原稿台カバーが前記軸部材を中心に第１方向に回動することによって、前記原稿台カバーが前記閉状態から前記開状態に遷移し、
前記原稿台カバーが前記軸部材を中心に第２方向に回動することによって、前記原稿台カバーが前記開状態から前記閉状態に遷移し、
前記第２方向は、前記第１方向と反対の方向であり、
前記原稿台カバーの前記閉状態から前記開状態への遷移に伴って前記排出口の開口面積が増加する、請求項３又は請求項４に記載の画像読取装置。
【請求項６】
前記開閉部材は、前記第１ダクトの上端において前記第２ダクト側の前記第１ダクトの側壁と連接され、上下方向に沿って形成された板状部材であり、
前記原稿台カバーが前記開状態において、前記開閉部材は前記連結部から空気が外部に流出することを抑制する、請求項３から請求項５のいずれか１項に記載の画像読取装置。
【請求項７】
前記第２ダクトと前記複数の孔との間に配置される規制部材を更に備え、
前記規制部材は、前記第２ダクトと前記複数の孔との間の空気の流通を規制又は許容する、請求項２から請求項６のいずれか１項に記載の画像読取装置。
【請求項８】
前記原稿台カバーは、前記原稿を押圧する押え部材を更に備え、
前記押え部材は、前記複数の孔を有し、
前記規制部材は、前記第２ダクトと前記押え部材との間に配置される、請求項７に記載の画像読取装置。
【請求項９】
前記原稿台カバーを回動自在に支持する軸部材を更に備え、
前記規制部材は、平板状部材と、支持部材とを備え、
前記支持部材は、前記平板状部材を第３方向に移動可能に支持し、
前記第３方向は、前記押え部材と平行で、且つ前記軸部材の中心軸と直交する方向を示し、
前記平板状部材は、複数の貫通孔を有し、
前記複数の貫通孔の配列は、前記複数の孔の配列と同一である、請求項８に記載の画像読取装置。
【請求項１０】
前記規制部材は、把持部材を更に備え、
前記把持部材は、外部から付勢されることによって前記平板状部材を前記第３方向に移動する、請求項９に記載の画像読取装置。
【請求項１１】
前記平板状部材が前記第３方向に移動した場合には、前記第２ダクトと前記複数の孔との間の空気の流通が規制される、請求項９又は請求項１０に記載の画像読取装置。
【請求項１２】
前記ファンを駆動するモーターと、
前記モーターの駆動を制御する制御部と
を更に備え、
前記制御部は、前記原稿台カバーが前記開状態において前記モーターを駆動し、前記原稿台カバーが前記閉状態において前記モーターの駆動を停止する、請求項１から請求項１１のいずれか１項に記載の画像読取装置。
【請求項１３】
前記ファンを駆動するモーターと、
前記モーターの駆動を制御する制御部と
を更に備え、
前記モーターは、その回転方向を正方向と逆方向との間で変更でき、
前記制御部は、ユーザーの操作に基づいて、前記モーターの前記回転方向を正方向から逆方向に変更する、請求項１から請求項１１のいずれか１項に記載の画像読取装置。
【請求項１４】
画像を記録媒体に形成する画像形成部と、
上面に原稿台面が配置される装置本体と、
前記原稿台面に対して開閉自在に構成された原稿台カバーと、
前記原稿台カバー内に空気流を送出する送風部と
を備え、
前記送風部は、前記空気流を発生するファンを有し、
前記原稿台カバーは、前記原稿台カバーの原稿を押圧する面に形成された複数の孔を有し、
前記原稿台カバーが開状態において、前記送風部は前記複数の孔から空気を流出し、前記原稿台カバーが閉状態において、前記送風部は前記複数の孔からの空気の流出を遮断する、画像形成装置。
【発明の詳細な説明】
【技術分野】
【０００１】
本発明は、画像読取装置、及び画像形成装置に関する。
【背景技術】
【０００２】
特許文献１の画像形成装置は、原稿台ガラスと、原稿台カバーと、送風装置とを備える。原稿台ガラスには、原稿が載置される。原稿台カバーは原稿台ガラスを開閉する。送風装置は、原稿台カバーから原稿に向けて送風して、原稿に風圧を付与する。
【先行技術文献】
【特許文献】
【０００３】
【特許文献１】特開平４−１６８４３６号公報
【発明の概要】
【発明が解決しようとする課題】
【０００４】
しかしながら、特許文献１に記載の画像形成装置では、原稿台カバーが閉状態においても送風装置が原稿台カバーから原稿に向けて送風するため、原稿に風圧が付与され、原稿の位置がずれる可能性がある。
【０００５】
本発明は、上記課題に鑑みてなされたものであり、原稿の位置がずれることを抑制可能な画像読取装置、及び画像形成装置を提供することを目的としている。
【課題を解決するための手段】
【０００６】
本発明に係る画像読取装置は、装置本体と、原稿台カバーと、送風部とを備える。前記装置本体は、上面に原稿台面が配置される。前記原稿台カバーは、前記原稿台面に対して開閉自在に構成される。前記送風部は、前記原稿台カバーに空気流を送出する。前記送風部は、前記空気流を発生するファンを有する。前記原稿台カバーは、前記原稿台カバーの前記原稿を押圧する面に形成された複数の孔を有する。前記原稿台カバーが開状態において、前記送風部は前記複数の孔から空気を流出し、前記原稿台カバーが閉状態において、前記送風部は前記複数の孔からの空気の流出を遮断する。
【０００７】
本発明に係る画像形成装置は、画像形成部と、装置本体と、原稿台カバーと、送風部とを備える。画像形成部は、画像を記録媒体に形成する。前記装置本体は、上面に原稿台面が配置される。前記原稿台カバーは、前記原稿台面に対して開閉自在に構成される。前記送風部は、前記原稿台カバーに空気流を送出する。前記送風部は、前記空気流を発生するファンを有する。前記原稿台カバーは、前記原稿台カバーの前記原稿を押圧する面に形成された複数の孔を有する。前記原稿台カバーが開状態において、前記送風部は前記複数の孔から空気を流出し、前記原稿台カバーが閉状態において、前記送風部は前記複数の孔からの空気の流出を遮断する。
【発明の効果】
【０００８】
本発明に係る画像読取装置、及び画像形成装置によれば、原稿の位置がずれることを抑制できる。
【図面の簡単な説明】
【０００９】
【図１】本発明の実施形態に係る画像形成装置の構成を示す側面図である。
【図２】画像形成装置の外観を示す斜視図である。
【図３】本発明の実施形態に係る送風部の構成を示す側面図である。
【図４】送風部の構成を示す断面図である。
【図５】送風部の構成を示す断面図である。
【図６】本発明の実施形態に係る開閉部材の構成を示す断面図である。（ａ）は、空気の流通を許容する状態の開閉部材を示す断面図である。（ｂ）は、空気の流通を規制する状態の開閉部材を示す断面図である。
【図７】制御部の処理を示すフローチャートである。
【発明を実施するための形態】
【００１０】
以下、本発明の実施形態について、図面（図１〜図７）を参照しながら説明する。なお、図中、同一又は相当部分については同一の参照符号を付して説明を繰り返さない。
【００１１】
まず、図１を参照して、本発明の実施形態に係る画像形成装置１００について説明する。図１は、画像形成装置１００の構成を示す図である。図１に示すように、画像形成装置１００は複合機である。画像形成装置１００は、画像形成ユニット１及び画像読取ユニット２を備える。
【００１２】
図１には、互いに直交するＸ軸、Ｙ軸及びＺ軸を記載している。Ｘ軸及びＹ軸は、水平面と平行である。Ｚ軸は、鉛直方向と平行である。以下の説明において、Ｙ軸の正方向側を背面側といい、Ｙ軸の負方向側を前面側という場合がある。
【００１３】
画像形成ユニット１は、用紙Ｐに画像を形成する。画像読取ユニット２は、原稿Ｒに形成された画像を読み取り、読取画像を生成する。
【００１４】
画像形成ユニット１は、給送カセット１１、ピックアップローラー１２、搬送ローラー対１３、画像形成部１４、定着部１５、排出ローラー対１６及び排出トレイ１７を備える。
【００１５】
給送カセット１１からピックアップローラー１２によって繰り出された用紙Ｐは、搬送ローラー対１３によって画像形成部１４まで搬送される。画像形成部１４は、用紙Ｐに画像を形成する。用紙Ｐは、「記録媒体」の一例に相当する。
【００１６】
画像が形成された用紙Ｐは、定着部１５まで搬送される。定着部１５は、用紙Ｐを加熱及び加圧し、用紙Ｐに形成された画像を用紙Ｐに定着する。画像が定着された用紙Ｐは、排出ローラー対１６によって排出トレイ１７へ排出される。
【００１７】
画像読取ユニット２は、原稿台カバー３と、筐体２０と、画像読取部２１と、操作表示部６と、制御部７とを備える。画像読取ユニット２は、「画像読取装置」の一例に相当する。原稿台カバー３については、後述にて図２を参照して詳細に説明する。
【００１８】
筐体２０は、画像読取部２１と、制御部７とを収納する。筐体２０は、「装置本体」の一例に相当する。
【００１９】
画像読取部２１は、原稿Ｒに形成された画像を読み取り、読取画像を生成する。画像読取部２１は、ＬＥＤ（Ｌｉｇｈｔ  Ｅｍｉｔｔｉｎｇ  Ｄｉｏｄｅ）、コンタクトガラス、結像レンズ、及びイメージセンサーを備え、これらの各部材が一体化されたＣＩＳ（Ｃｏｎｔａｃｔ  Ｉｍａｇｅ  Ｓｅｎｓｏｒ）ユニットである。
【００２０】
操作表示部６は、タッチパネル６１を備える。タッチパネル６１は、例えば、ＬＣＤ（Ｌｉｑｕｉｄ  Ｃｒｙｓｔａｌ  Ｄｉｓｐｌａｙ）を備え、種々の画像を表示する。タッチパネル６１は、タッチセンサーを更に備え、ユーザーの操作を受け付ける。
【００２１】
制御部７は、プロセッサー７１及び記憶部７２を備える。プロセッサー７１は、例えばＣＰＵ（Ｃｅｎｔｒａｌ  Ｐｒｏｃｅｓｓｉｎｇ  Ｕｎｉｔ）を備える。記憶部７２は、半導体メモリーのようなメモリーを備え、ＨＤＤ（Ｈａｒｄ  Ｄｉｓｋ  Ｄｒｉｖｅ）を備えてもよい。記憶部７２は、制御プログラムを記憶している。
【００２２】
制御部７は、画像形成装置１００の動作を制御する。具体的には、制御部７は、プロセッサー７１が制御プログラムを実行することによって、画像形成装置１００の動作を制御する。
【００２３】
次に、図１及び図２を参照して、画像形成装置１００の構成について更に説明する。図２は、画像形成装置１００の外観を示す斜視図である。図２に示すように、画像読取ユニット２は、プラテンガラス２２と、開閉センサーＳとを更に備える。
【００２４】
プラテンガラス２２には、原稿Ｒが載置される。プラテンガラス２２は、原稿載置面２２１を有する。原稿載置面２２１は、原稿Ｒが載置される面であって、プラテンガラス２２の上面を示す。原稿載置面２２１は、「原稿台面」の一例に相当する。
【００２５】
原稿載置面２２１は、基準位置２２１Ａが規定されている。基準位置２２１Ａは、原稿載置面２２１におけるＸ軸の正方向端で、且つＹ軸の正方向端に規定されている。基準位置２２１Ａには、原稿Ｒの４隅のうちの１つの隅部が配置される。すなわち、原稿Ｒの周辺のうちの一辺は、原稿載置面２２１のＸ軸の正方向端に配置され、原稿Ｒの周辺のうちの他の一辺は、原稿載置面２２１のＹ軸の正方向端に配置される。原稿Ｒの周辺のうちの他の一辺は、原稿Ｒの周辺のうちの一辺と隣接する辺を示す。
【００２６】
開閉センサーＳは、原稿台カバー３の開閉を検出する。開閉センサーＳは、筐体２０の上面に配置される。具体的には、開閉センサーＳは、筐体２０の上面において、Ｘ軸の正方向端部で且つＹ軸の負方向端部に配置される。開閉センサーＳは、例えば、近接センサーである。開閉センサーＳは、検出信号を制御部７に出力する。検出信号は、原稿台カバー３が開状態であるか、原稿台カバー３が閉状態であるかを示す。
【００２７】
原稿台カバー３は、押え部材３１と、回転軸３２とを備える。押え部材３１は、原稿台カバー３の下面に配置される。押え部材３１は、矩形板状に形成される。押え部材３１は、原稿台カバー３が閉状態において原稿Ｒを押える。押え部材３１の下面は、「原稿を押圧する面」の一例に相当する。押え部材３１は、複数の孔３１１を有する。
【００２８】
複数の孔３１１は、押え部材３１においてＸ軸の正方向側の端部に形成される。例えば、複数の孔３１１は、Ｘ軸に沿って２列に配列される。２列のうちの各１列は、押え部材３１の周辺のうちのＸ軸の正方向端の辺に沿って配置される。２列のうちの各１列には、６個の孔３１１が形成されている。複数の孔３１１からは空気が流出する。複数の孔３１１の各々は、例えば円形に形成される。また、複数の孔３１１の各々の直径は、例えば５ｍｍである。
【００２９】
回転軸３２は、筐体２０のＹ軸の正方向端で且つＺ軸の正方向端に、Ｘ軸と平行に配置される。回転軸３２は、原稿台カバー３を回動自在に支持する。原稿台カバー３が、回転軸３２を中心に回動することによって、原稿台カバー３は原稿載置面２２１を開閉する。回転軸３２は、「軸部材」の一例に相当する。図２では、便宜上、回転軸３２の中心軸を一点鎖線で示している。
【００３０】
次に、図２及び図３を参照して、本発明の実施形態に係る送風部４の構成について説明する。図３は、送風部４の構成を示す側面図である。図３に示すように、画像読取ユニット２は、送風部４を更に備える。送風部４は、モーター４０と、ファン４１と、第１ダクト４２と、第２ダクト４４と、連結部４３とを備える。
【００３１】
送風部４は、原稿台カバー３内に空気流を送出する。具体的には、原稿台カバー３が開状態において、送風部４は複数の孔３１１から空気を流出し、原稿台カバー３が閉状態において、送風部４は複数の孔３１１からの空気の流出を遮断する。
【００３２】
ファン４１は、筐体２０のＸ軸の負方向端に配置される。ファン４１は、空気流を発生する。ファン４１によって発生された空気流は、第１ダクト４２に送出される。すなわち、ファン４１は、第１ダクト４２の下方に配置され、空気を上方に流動させる。
【００３３】
第１ダクト４２は、筐体２０内を上下方向に貫通して空気を上方（Ｚ軸の正方向）に案内する。第１ダクト４２は、例えば、断面が四角形の筒状に形成される。第１ダクト４２は、Ｚ軸と平行な方向に延びる。第１ダクト４２の下方には、第１ダクト４２の下端に近接してファン４１が配置される。第１ダクト４２は、その上端において、連結部４３と空気流が流動可能に接続されている。
【００３４】
第２ダクト４４は、原稿台カバー３内において押え部材３１に沿って配置される。第２ダクト４４は、原稿台カバー３内において複数の孔３１１に向けて空気を案内する。第２ダクト４４は、例えば、断面が四角形の筒状に形成される。第２ダクト４４は、その一方側（Ｘ軸の負方向側）の端部において、連結部４３と空気流が流動可能に接続されている。第２ダクト４４の他方側（Ｘ軸の正方向側）の端部は、閉塞されている。
【００３５】
連結部４３は、筐体２０のＸ軸の負方向端で、且つＺ軸の正方向端に配置される。連結部４３は、第１ダクト４２と第２ダクト４４とを連結する。具体的には、連結部４３と第１ダクト４２とは、空気流が流動可能に接続され、且つ連結部４３と第２ダクト４４とは、空気流が流動可能に接続される。
【００３６】
モーター４０は、ファン４１を駆動する。モーター４０は、回転方向を変更できる。例えば、モーター４０が正回転する場合には、ファン４１は正回転して空気流を第１ダクト４２に送出する。モーター４０が停止する場合には、ファン４１は回転を停止して空気流の発生を停止する。モーター４０が逆回転する場合には、ファン４１は逆回転して第１ダクト４２内の空気を吸引する。
【００３７】
制御部７は、ファン４１の回転を制御する。具体的には、制御部７は、モーター４０の回転を制御することによってファン４１の回転を制御する。更に具体的には、原稿台カバー３が開状態において、制御部７は、モーター４０を正回転することによってファン４１を正回転する。また、原稿台カバー３が開状態において、制御部７は、モーター４０の回転を停止することによってファン４１の回転を停止する。
【００３８】
また、開閉センサーＳが原稿台カバー３の開状態を検出している場合には、制御部７は、モーター４０を正回転する。そして、ファン４１が正回転して空気流を第１ダクト４２に送出する。第１ダクト４２に送出された空気流は、連結部４３を経由して、第２ダクト４４に流入する。第２ダクト４４に流入した空気流は、複数の孔３１１から流出する。
【００３９】
開閉センサーＳが原稿台カバー３の閉状態を検出している場合には、制御部７は、モーター４０の回転を停止する。そして、ファン４１は回転を停止して空気流の発生を停止する。そのため、第２ダクト４４に空気流が流入しない。その結果、複数の孔３１１からの空気の流出が遮断される。
【００４０】
以上、図２及び図３を参照して説明したように、本発明の実施形態では、原稿台カバー３が開状態において複数の孔３１１から空気を流出するため、空気の流れによって原稿Ｒが原稿載置面２２１に向けて押圧される。したがって、原稿載置面２２１の載置位置から原稿Ｒがずれることを抑制できる。また、原稿台カバー３が閉状態において複数の孔３１１からの空気の流出を遮断するため、空気の流れによって原稿Ｒが押圧されることを防止できる。したがって、原稿載置面２２１の載置位置から原稿Ｒがずれることを抑制できる。
【００４１】
また、ファン４１が第１ダクト４２を介して空気を上方に流動させ、連結部４３が第１ダクト４２と第２ダクト４４とを連結する。そして、第２ダクト４４が原稿台カバー３内において複数の孔３１１に向けて空気を案内する。したがって、簡素な構成で、複数の孔３１１から空気を流出できる。
【００４２】
更に、制御部７は、原稿台カバー３が閉状態においてファン４１の回転を停止し、原稿台カバー３が開状態においてファン４１を正回転する。したがって、原稿台カバー３が閉状態において複数の孔３１１からの空気の流出を遮断できる。
【００４３】
なお、本発明の実施形態では、モーター４０が回転方向を変更できるが、本発明はこれに限定されない。モーター４０が正回転できればよい。例えば、モーター４０が正回転のみが可能でもよい。この場合には、モーター４０の製造コストを削減できる。
【００４４】
また、本発明の実施形態では、複数の孔３１１は、Ｘ軸に沿って２列に配列されるが、本発明はこれに限定されない。複数の孔３１１が、少なくとも基準位置２２１Ａと対向する位置に形成されていればよい。例えば、複数の孔３１１が、基準位置２２１Ａと対向する位置のみに形成されていてもよい。また、例えば、複数の孔３１１が、押え部材３１の全体に形成されていてもよい。
【００４５】
また、本発明の実施形態では、送風部４は、モーター４０、ファン４１、第１ダクト４２、第２ダクト４４及び連結部４３を備えるが、本発明はこれに限定されない。送風部４が原稿台カバー３内に空気流を送出すればよい。例えば、送風部４がファン４１からの空気流を第２ダクト４４に直接送出してもよい。この場合には、第１ダクト４２と連結部４３とを省略できるため、送風部４の構成を更に簡素化できる。したがって、送風部４の製造コストを削減できる。
【００４６】
次に、図２〜図４を参照して、送風部４の構成について更に説明する。図４は、送風部４の構成を示す断面図である。図４では、原稿台カバー３が閉状態である。図４に示すように、連結部４３は、第１部材４３１、第２部材４３２、第３部材４３３、排出口４５及び開閉部材４６を有する。また、原稿台カバー３の回転軸３２は、連結部４３の内部に配置される。
【００４７】
第２部材４３２は、第１ダクト４２の上端に固定される板状部材である。具体的には、第２部材４３２は、第１ダクト４２のＸ軸の正方向側の壁面の上端からＸ軸の正方向に突出して形成され、Ｘ−Ｙ平面と平行に配置される平板状部材である。第２部材４３２のＸ軸の正方向端部において、第２部材４３２は開閉部材４６の下端を支持する。
【００４８】
第３部材４３３は、第１ダクト４２の上端に固定される板状部材である。具体的には、第３部材４３３は、断面視Ｌ字状に形成される。第３部材４３３は、第１平板状部材と第２平板状部材とで構成される。第１平板状部材は、第１ダクト４２のＸ軸の負方向側の壁面の上端に固定され、Ｘ−Ｙ平面と平行に配置される。第２平板状部材は、第１平板状部材のＸ軸の負方向端に立設され、Ｙ−Ｚ軸平面と平行に配置される。第３部材４３３（第２平板状部材）は、連結部４３のＸ軸の負方向側の側面の一部を構成する。
【００４９】
第１部材４３１は、第２ダクト４４の一方側（Ｘ軸の負方向側）の端部に固定される板状部材である。具体的には、第１部材４３１は、断面視逆Ｕ字状に形成される。第１部材４３１は、第１平板状部材と第２平板状部材と第３平板状部材とで構成される。第１平板状部材は、第２ダクト４４の上側の壁面に固定され、Ｙ−Ｚ平面と平行に配置される。第２平板状部材は、第１平板状部材のＺ軸の正方向端に固定され、Ｘ−Ｙ平面と平行に配置される。第３平板状部材は、第２平板状部材のＸ軸の負方向側端に固定され、Ｙ−Ｚ平面と平行に配置される。第３部材４３３（第３平板状部材）は、連結部４３のＸ軸の負方向側の側面の一部を構成する。
【００５０】
連結部４３のＸ軸の負方向側の側面は、第１部材４３１と第３部材４３３とで構成される。第１部材４３１は、連結部４３のＸ軸の負方向側の側面を構成する。第１部材４３１と第３部材４３３とは、両者の間に隙間ＳＬが形成されるように配置される。
【００５１】
排出口４５は、連結部４３と第２ダクト４４との接続部に形成される。具体的には、排出口４５は、第１部材４３１のＸ軸の正方向側の側壁と、第２ダクト４４の下側の側壁との間に形成される。排出口４５は、第１ダクト４２から連結部４３に送出される空気流を、第２ダクト４４に向けて送出する。
【００５２】
開閉部材４６は、排出口４５を開閉する。具体的には、原稿台カバー３が閉状態において、開閉部材４６が排出口４５を閉塞する。すなわち、原稿台カバー３が閉状態において、開閉部材４６は、排出口４５を閉塞する位置に配置される。開閉部材４６は、第２部材４３２のＸ軸の正方向側の端部４３２Ａに立設され、Ｙ−Ｚ平面と平行な方向に配置された板状部材である。開閉部材４６は、弾性を有する。開閉部材４６は、例えば、ゴムで形成される。
【００５３】
次に、原稿台カバー３が開状態から閉状態にされた場合の空気流の挙動について説明する。原稿台カバー３が開状態から閉状態にされると制御部７によってモーター４０の駆動は停止されるが、ファン４１は慣性で所定期間（例えば、１０秒間）回転する。その結果、ファン４１によって空気流が方向ＤＷに示すように第１ダクト４２に送出される。第１ダクト４２に送出された空気流は、連結部４３に流入する。排出口４５が開閉部材４６によって閉塞されているため、連結部４３に流入した空気流が第２ダクト４４に向けて流出しない。その結果、空気流は隙間ＳＬから方向ＤＷに示すように送風部４の外部に流出する。
【００５４】
以上、図２〜図４を参照して説明したように、本発明の実施形態では、原稿台カバー３が閉状態において、開閉部材４６が排出口４５を閉塞するため、連結部４３に流入した空気流が第２ダクト４４に向けて流出しない。その結果、複数の孔３１１からの空気の流出が遮断される。したがって、簡素な構成で、原稿台カバー３が閉状態において、複数の孔３１１からの空気の流出を遮断できる。
【００５５】
また、開閉部材４６は、原稿台カバー３が閉状態において、排出口４５を閉塞する位置に配置されるため、原稿台カバー３が閉状態において、連結部４３から第２ダクト４４へ空気の流れが遮断される。したがって、更に簡素な構成で、原稿台カバー３が閉状態において、複数の孔３１１からの空気の流出を遮断できる。
【００５６】
次に、図２〜図５を参照して、送風部４の構成について更に説明する。図５は、送風部４の構成を示す断面図である。図５では、原稿台カバー３が開状態である点で、図４に示す送風部４と相違する。以下の説明では、図４と相違する点について説明し、図４と同一の構成についてはその説明を省略する。
【００５７】
図５に示すように、原稿台カバー３が開状態であるため、排出口４５は開閉部材４６によって閉塞されていない。したがって、連結部４３に流入した空気流は、排出口４５を介して、第２ダクト４４に向けて流出する。
【００５８】
また、原稿台カバー３が開状態において、開閉部材４６は、連結部４３から空気が外部に流出することを抑制する。すなわち、開閉部材４６は、連結部４３の側壁の一部として機能する。具体的には、開閉部材４６は、第２ダクト４４を構成する下側の側壁の一方側（Ｘ軸の負方向側）の端部４４Ａと、第２部材４３２のＸ軸の正方向側の端部４３２Ａとの間の開口を塞ぐように配置される。
【００５９】
次に、原稿台カバー３が開状態である場合の空気流の挙動について説明する。原稿台カバー３が開状態において、制御部７によってモーター４０が正方向に駆動され、ファン４１によって空気流が方向ＤＷに示すように第１ダクト４２に送出される。第１ダクト４２に送出された空気流は、連結部４３に流入する。排出口４５が開放されているため、連結部４３に流入した空気流は、排出口４５を介して、方向ＤＷに示すように第２ダクト４４に流出する。そして、複数の孔３３１から空気が流出する。
【００６０】
以上、図２〜図５を参照して説明したように、本発明の実施形態では、原稿台カバー３が開状態において、開閉部材４６が排出口４５を開放するため、複数の孔３３１から空気を流出する。したがって、簡素な構成で、原稿台カバー３が開状態において、複数の孔３３１から空気を流出できる。
【００６１】
また、原稿台カバー３が開状態において、排出口４５を開放する位置に開閉部材４６が配置されるため、原稿台カバー３が開状態において、連結部４３から第２ダクト４４へ空気の流れが許容される。したがって、更に簡素な構成で、原稿台カバー３が開状態において、複数の孔３３１から空気を流出できる。
【００６２】
更に、原稿台カバー３が開状態において、開閉部材４６は空気が連結部４３の外部に流出することを抑制する。よって、原稿台カバー３が開状態において、ファン４１によって第１ダクト４２に送出される空気流を効率的に第２ダクト４４に流出できる。
【００６３】
次に、図２〜図５を参照して、原稿台カバー３が閉状態から開状態に遷移する場合と、原稿台カバー３が開状態から閉状態に遷移する場合とにおける送風部４の動作について説明する。図４に示すように、原稿台カバー３が閉状態から開状態に遷移する場合には、原稿台カバー３が回転軸３２を中心として第１方向Ｄ１に回動される。すなわち、原稿台カバー３が回転軸３２を中心に第１方向Ｄ１に回動することによって、原稿台カバー３が閉状態から開状態に遷移する。第１方向Ｄ１は、反時計回りを示す。
【００６４】
原稿台カバー３の閉状態から開状態への遷移に伴って、排出口４５の開口面積が増加する。具体的には、図４に示すように、原稿台カバー３が閉状態において、排出口４５は開閉部材４６によって閉塞されている。原稿台カバー３の閉状態から開状態への遷移に伴って、第２ダクト４４が第１方向Ｄ１に回動される。第２ダクト４４が第１方向Ｄ１に回動されると、排出口４５はＺ軸の正方向に移動する。そして、開閉部材４６の上端より上側にある排出口４５が開放される。その結果、排出口４５の上端（Ｚ軸の正方向端）から排出口４５の下端に向けて、開閉部材４６による閉塞が解除され、排出口４５が開放される。すなわち、原稿台カバー３の閉状態から開状態への遷移に伴って排出口４５の開口面積が増加する。そして、図５に示すように、原稿台カバー３が開状態において、排出口４５の全体が開放される。
【００６５】
また、原稿台カバー３が閉状態から開状態に遷移するに伴い、第２ダクト４４を構成する下側の側壁の一方側（Ｘ軸の負方向側）の端部４４Ａと、第２部材４３２のＸ軸の正方向側の端部４３２Ａとの間隔が増大する。開閉部材４６は、端部４４Ａと端部４３２Ａとの間の開口を塞ぐように配置されている。よって、端部４４Ａと端部４３２Ａとの間の開口から空気が流出することが抑制される。
【００６６】
次に、原稿台カバー３が開状態から閉状態に遷移する場合について説明する。図５に示すように、原稿台カバー３が開状態から閉状態に遷移する場合には、原稿台カバー３が回転軸３２を中心として第２方向Ｄ２に回動される。すなわち、原稿台カバー３が回転軸３２を中心に第２方向Ｄ２に回動することによって、原稿台カバー３が開状態から閉状態に遷移する。第２方向Ｄ２は、第１方向Ｄ１と反対の方向であり、時計回りを示す。
【００６７】
原稿台カバー３の開状態から閉状態への遷移に伴って、排出口４５の開口面積が増加する。具体的には、図５に示すように、原稿台カバー３が開状態において、排出口４５の全体が開放されている。原稿台カバー３の開状態から閉状態への遷移に伴って、第２ダクト４４が第２方向Ｄ２に回動される。第２ダクト４４が第２方向Ｄ２に回動されると、排出口４５はＺ軸の負方向に移動する。そして、開閉部材４６の上端より下側にある排出口４５が開閉部材４６によって閉塞される。その結果、排出口４５の下端（Ｚ軸の負方向端）から排出口４５の上端に向けて、開閉部材４６によって排出口４５が閉塞される。すなわち、原稿台カバー３の閉状態から開状態への遷移に伴って排出口４５の開口面積が減少する。そして、図４に示すように、原稿台カバー３が閉状態において、開閉部材４６によって排出口４５の全体が閉塞される。
【００６８】
また、原稿台カバー３が開状態から閉状態に遷移するに伴い、第２ダクト４４を構成する下側の側壁の一方側（Ｘ軸の負方向側）の端部４４Ａと、第２部材４３２のＸ軸の正方向側の端部４３２Ａとの間隔が減少する。開閉部材４６は、端部４４Ａと端部４３２Ａとの間の開口を塞ぐように配置されている。よって、端部４４Ａと端部４３２Ａとの間の開口から空気が流出することが抑制される。
【００６９】
以上、図２〜図５を参照して説明したように、本発明の実施形態では、原稿台カバー３の閉状態から開状態への遷移に伴って、排出口４５の開口面積が増加する。よって、原稿台カバー３が閉状態から開状態への遷移に伴って複数の孔３３１から流出する空気量を増加できる。一方、原稿台カバー３が閉状態から開状態への遷移に伴って複数の孔３３１と原稿Ｒとの距離が増加する。したがって、原稿載置面２２１の載置位置から原稿Ｒがずれることを更に効果的に抑制できる。
【００７０】
また、原稿台カバー３が閉状態から開状態に遷移するに伴い、第２ダクト４４を構成する下側の側壁の一方側（Ｘ軸の負方向側）の端部４４Ａと、第２部材４３２のＸ軸の正方向側の端部４３２Ａとの間隔が増大する。開閉部材４６は、端部４４Ａと端部４３２Ａとの間の開口を塞ぐように配置されているため、端部４４Ａと端部４３２Ａとの間の開口から空気が流出することを抑制できる。
【００７１】
なお、本発明の実施形態では、原稿台カバー３が閉状態において連結部４３に隙間ＳＬが形成されるが、本発明はこれに限定されない。原稿台カバー３が閉状態において、空気流が送風部４の外部に流出すればよい。例えば、連結部４３が逃がし弁を有してもよい。逃がし弁は、連結部４３内の空気圧が所定の圧力以上である場合に開放する。この場合には、連結部４３から空気流を更に効果的に流出させることができる。
【００７２】
次に、図２、図３及び図６を参照して、本発明の実施形態に係る規制部材５の構成について説明する。図６は、規制部材５の構成を示す断面図である。原稿台カバー３は、更に規制部材５を備える。図６では、便宜上、原稿台カバー３が閉状態である場合について説明する。図６（ａ）は、空気の流通を許容する状態の規制部材５を示す断面図である。図６（ｂ）は、空気の流通を規制する状態の規制部材５を示す断面図である。
【００７３】
図６（ａ）に示すように、第２ダクト４４は、複数の孔４４１を備える。複数の孔４４１は、第２ダクト４４の下側（Ｚ軸の負方向側）の側壁に形成される。複数の孔４４１の各々は、第２ダクト４４内の空気を規制部材５に向けて流出する。複数の孔４４１の各々は、押え部材３１に形成された複数の孔３１１の各々と対向する位置に配置される。また、複数の孔４４１の個数は、複数の孔３１１の個数と同一に形成されている。複数の孔４４１の各々のサイズは、複数の孔３１１の各々のサイズと略同一に形成されている。
【００７４】
規制部材５は、第２ダクト４４と押え部材３１との間に配置される。規制部材５は、第２ダクト４４に形成された複数の孔４４１と、押え部材３１に形成された複数の孔３３１との間の空気の流通を規制又は許容する。規制部材５は、平板状部材５１と、支持部材５２と、把持部材５３とを備える。
【００７５】
平板状部材５１は、第２ダクト４４と押え部材３１との間に配置される。平板状部材５１は、支持部材５２によって第３方向Ｄ３に移動可能に支持される。第３方向Ｄ３は、Ｙ軸の負方向を示す。平板状部材５１は、複数の孔５１１を有する。複数の孔５１１の配列は、複数の孔３１１の配列と略同一である。具体的には、複数の孔５１１の間隔は、複数の孔３１１の間隔と略同一に形成されている。複数の孔５１１の個数は、複数の孔３１１の個数と同一に形成されている。複数の孔５１１の各々のサイズは、複数の孔３１１の各々のサイズと略同一に形成されている。孔５１１は、「貫通孔」の一例に相当する。
【００７６】
複数の孔５１１の各々は、複数の孔４４１の各々から流出された空気を押え部材３１に向けて流出する。複数の孔５１１の各々から流出された空気は、押え部材３１に形成された複数の孔３１１の各々を介して外部に流出する。すなわち、規制部材５は、第２ダクト４４に形成された複数の孔４４１と、押え部材３１に形成された複数の孔３３１との間の空気の流通を許容する。
【００７７】
支持部材５２は、第２ダクト４４と押え部材３１との間に配置される。支持部材５２は、平板状部材５１を第３方向Ｄ３に移動可能に支持する。本実施形態では、２個の支持部材５２のうちの一方の支持部材５２が、平板状部材５１のＹ軸方向の一方端（Ｙ軸の正方向端）を支持し、他方の支持部材５２が、平板状部材５１のＹ軸方向の他方端（Ｙ軸の負方向端）を支持する。２個の支持部材５２の各々の上端（Ｚ軸の正方向端）は、第２ダクト４４の下側の側壁に固定される。２個の支持部材５２の各々の下端（Ｚ軸の負方向端）は、押え部材３１の上端に固定される。
【００７８】
把持部材５３は、平板状部材５１のＹ軸の正方向端に固定される。把持部材５３は、断面Ｌ字状に形成された板状部材である。把持部材５３は、ユーザーによって把持され、第３方向Ｄ３に付勢される。把持部材５３が第３方向Ｄ３に付勢された場合には、平板状部材５１が第３方向Ｄ３に移動し、規制部材５は、図６（ｂ）に示す状態に移行する。
【００７９】
図６（ｂ）に示すように、規制部材５の平板状部材５１の位置が、図６（ａ）に示す平板状部材５１の位置と比較して、第３方向Ｄ３に移動している。そして、平板状部材５１に形成された複数の孔５１１の各々が、第２ダクト４４に形成された複数の孔４４１の各々の位置に対して第３方向Ｄ３にずれている。よって、複数の孔４４１の各々から複数の孔５１１の各々への空気の流動が規制される。例えば、複数の孔４４１の各々から複数の孔５１１の各々への空気の流動が禁止される。
【００８０】
また、複数の孔５１１の各々が、押え部材３１に形成された複数の孔３３１の各々の位置に対して第３方向Ｄ３にずれている。よって、複数の孔３１１の各々から複数の孔５１１の各々への空気の流動が規制される。例えば、複数の孔３１１の各々から複数の孔５１１の各々への空気の流動が禁止される。
【００８１】
以上、図２、図３及び図６を参照して説明したように、本発明の実施形態では、規制部材５が第２ダクト４４と複数の孔３１１との間の空気の流通を規制することによって、複数の孔３１１から第２ダクト４４に紙粉のような異物が流入することを抑制できる。
【００８２】
また、規制部材５は、第２ダクト４４と押え部材３１との間に配置されるため、簡素な構成で第２ダクト４４と複数の孔３１１との間の空気の流通を規制できる。
【００８３】
更に、平板状部材５１は、複数の孔５１１を有し、複数の孔５１１の配列は、複数の孔３１１の配列と同一である。支持部材５２は、平板状部材５１を第３方向Ｄ３に移動可能に支持する。よって、第２ダクト４４と複数の孔３１１との間の空気の流通が許容された状態から、平板状部材５１を第３方向Ｄ３に移動することによって、第２ダクト４４と複数の孔３１１との間の空気の流通を規制できる。したがって、簡素な構成で第２ダクト４４と複数の孔３１１との間の空気の流通を規制又は許容できる。
【００８４】
また、把持部材５３がユーザーによって把持され、把持部材５３が第３方向Ｄ３に付勢された場合には、平板状部材５１が第３方向Ｄ３に移動し、第２ダクト４４と複数の孔３１１との間の空気の流通を規制する。したがって、第２ダクト４４と複数の孔３１１との間の空気の流通が規制された状態と、第２ダクト４４と複数の孔３１１との間の空気の流通が許容された状態とのうちの一方の状態から他方の状態へユーザーは容易に変更できる。
【００８５】
なお、本発明の実施形態では、規制部材５が把持部材５３を有するが、本発明はこれに限定されない。平板状部材５１が第３方向Ｄ３及び第３方向Ｄ３の逆方向に移動可能であればよい。例えば、規制部材５が平板状部材５１を移動する付勢力を付与するモーターを有してもよい。この場合には、例えば、タッチパネル６１に対するユーザーの入力に応じて、平板状部材５１を移動できる。したがって、ユーザーの利便性を向上できる。
【００８６】
次に、図１〜図３及び図７を参照して、制御部７の処理について説明する。図７は、制御部７の処理を示すフローチャートである。
図７に示すように、まず、ステップＳ１０１において、制御部７が、原稿台カバー３が開状態であるか否かを判定する。具体的には、制御部７は、開閉センサーＳの検出信号に基づいて、原稿台カバー３が開状態であるか否かを判定する。
原稿台カバー３が開状態であると制御部７が判定した場合（ステップＳ１０１でＹＥＳ）には、処理がステップＳ１０３に進む。
そして、ステップＳ１０３において、制御部７が、ファン４１が正回転するようにモーター４０を制御し、処理がステップＳ１０７に進む。例えば、制御部７が、モーター４０が正回転するようにモーター４０を制御する。モーター４０が正回転することによってファン４１が正回転する。ファン４１が正回転することによって、押え部材３１に形成された複数の孔３１１に向けて空気が流動する。
【００８７】
原稿台カバー３が開状態ではないと制御部７が判定した場合（ステップＳ１０１でＮＯ）には、処理がステップＳ１０５に進む。
そして、ステップＳ１０５において、制御部７が、ファン４１を停止するようにモーター４０を制御し、処理がステップＳ１０７に進む。例えば、制御部７が、モーター４０が停止するようにモーター４０を制御する。モーター４０が停止することによってファン４１が停止する。
次に、ステップＳ１０７において、制御部７が、ユーザーからファン４１を逆回転する旨の指示を受け付けたか否かを判定する。具体的には、制御部７は、タッチパネル６１に対するユーザーの入力に基づいて、ユーザーからファン４１を逆回転する旨の指示を受け付けたか否かを判定する。
ユーザーからファン４１を逆回転する旨の指示を制御部７が受け付けていないと判定した場合（ステップＳ１０７でＮＯ）には、処理がステップＳ１０１に戻る。ユーザーからファン４１を逆回転する旨の指示を制御部７が受け付けたと判定した場合（ステップＳ１０７でＹＥＳ）には、処理がステップＳ１０９に進む。
【００８８】
次に、ステップＳ１０９において、制御部７が、原稿台カバー３が開状態であるか否かを判定する。
原稿台カバー３が開状態であると制御部７が判定した場合（ステップＳ１０９でＹＥＳ）には、処理がステップＳ１１１に進む。
そして、ステップＳ１１１において、制御部７が、ファン４１が逆回転するようにモーター４０を制御し、処理がステップＳ１１５に進む。例えば、制御部７が、モーター４０が逆回転するようにモーター４０を制御する。モーター４０が逆回転することによってファン４１が逆回転する。ファン４１が逆回転することによって、押え部材３１に形成された複数の孔３１１に外部から空気が流入する。
原稿台カバー３が開状態ではないと制御部７が判定した場合（ステップＳ１０９でＮＯ）には、処理がステップＳ１１３に進む。
そして、ステップＳ１１３において、制御部７が、ファン４１を停止するようにモーター４０を制御し、処理がステップＳ１１５に進む。
【００８９】
次に、ステップＳ１１５において、制御部７が、ユーザーからファン４１を逆回転する旨の指示を制御部７が受け付けたと判定した時点から所定時間Ｔが経過したか否かを判定する。所定時間Ｔは、例えば、１０秒である。
所定時間Ｔが経過していないと制御部７が判定した場合（ステップＳ１１５でＮＯ）には、処理がステップＳ１０９に戻る。所定時間Ｔが経過したと制御部７が判定した場合（ステップＳ１１５でＹＥＳ）には、処理がステップＳ１０１にリターンする。
【００９０】
以上、図１〜図３及び図７を参照して説明したように、本発明の実施形態では、ユーザーの操作に基づいて、ファン４１を逆回転し、複数の孔から空気を吸引できる。よって、原稿Ｒを原稿台カバー３に吸着できる。したがって、原稿Ｒをプラテンガラス２２から容易に取り除くことができる。
【００９１】
なお、本発明の実施形態では、原稿台カバー３が開状態ではない場合にファン４１を停止するが、本発明はこれに限定されない。ユーザーの操作に基づいて、ファン４１を逆回転すればよい。例えば、ユーザーからファン４１を逆回転する旨の指示を受け付けた時点以降で、原稿台カバー３が開状態であるか否かに関わらずファン４１を逆回転してもよい。この場合には、原稿Ｒを原稿台カバー３に確実に吸着できる。したがって、原稿Ｒをプラテンガラス２２から更に容易に取り除くことができる。
【００９２】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（２））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００９３】
（１）図１を参照して説明したように、画像形成装置１００は複合機であるが、本発明はこれに限定されない。画像形成装置１００は画像読取ユニット２を備えればよい。例えば、画像形成装置が、カラー複写機である形態でもよい。また、例えば、画像形成装置が、モノクロスキャナーである形態でもよい。
【００９４】
（２）図１及び図２を参照して説明したように、原稿台カバー３が閉状態においてファン４１の回転を停止するが、本発明はこれに限定されない。原稿台カバー３が開状態においてファン４１を正回転すればよい。例えば、原稿台カバー３が開状態であるか閉状態であるかに関わらずファン４１を正回転してもよい。原稿台カバー３が閉状態においては、図４を参照して説明したように、開閉部材４６が排出口４５を閉塞するため、複数の孔３１１からの空気の流出を遮断する。また、原稿台カバー３が開状態においては、図５を参照して説明したように、開閉部材４６が排出口４５を開放するため、複数の孔３１１から空気を流出する。
【産業上の利用可能性】
【００９５】
本発明は、画像読取装置、及び画像形成装置に関するものであり、産業上の利用可能性を有する。
【符号の説明】
【００９６】
１００    画像形成装置
１    画像形成ユニット
１４    画像形成部
２    画像読取ユニット（画像読取装置）
２０    筐体（装置本体）
２１    画像読取部
２２    プラテンガラス
２２１    原稿載置面（原稿台面）
Ｓ    開閉センサー
３    原稿台カバー
３１    押え部材
３１１    孔
３２    回転軸（軸部材）
４    送風部
４０    モーター
４１    ファン
４２    第１ダクト
４３    連結部
４３１    第１部材
４３２    第２部材
４３３    第３部材
４４    第２ダクト
４４１    孔
４５    排出口
４６    開閉部材
５    規制部材
５１    平板状部材
５１１    孔（貫通孔）
５２    支持部材
５３    把持部材
６    操作表示部
６１    タッチパネル
７    制御部
７１    プロセッサー
７２    記憶部
Ｐ    用紙（記録媒体）
【図１】
2019129349.tif 000003
【図２】
2019129349.tif 000004
【図３】
2019129349.tif 000005
【図４】
2019129349.tif 000006
【図５】
2019129349.tif 000007
【図６】
2019129349.tif 000008
【図７】
2019129349.tif 000009